(57)【特許請求の範囲】
【請求項１】
互いに電子放出量の異なる２つのフィラメントを有した陰極と、前記陰極に対向配置され、前記陰極から放出される電子が衝突されることによりＸ線を放出する陽極ターゲットと、前記陰極及び陽極ターゲットを収容した真空外囲器と、を具備したＸ線管と、
前記２つのフィラメントに電気的に接続され、前記２つのフィラメントを同時に駆動させるかどうか制御する制御部と、
抵抗と、を備え、
前記制御部は、前記２つのフィラメントを同時に駆動させる場合、前記２つのフィラメントが直列に接続された直列回路を形成し、前記抵抗を前記２つのフィラメントの何れか一方に電気的に並列に接続させた状態で前記２つのフィラメントを同時に直列駆動させるＸ線管装置。
【請求項２】
前記Ｘ線管が収容された筐体を備え、
前記抵抗は、前記筐体内部に設けられている請求項１に記載のＸ線管装置。
【請求項３】
前記Ｘ線管が収容された筐体を備え、
前記抵抗は、前記筐体外部に設けられている請求項１に記載のＸ線管装置。
【請求項４】
互いに電子放出量の異なる２つのフィラメントを有した陰極と、前記陰極に対向配置され、前記陰極から放出される電子が衝突されることによりＸ線を放出する陽極ターゲットと、前記陰極及び陽極ターゲットを収容した真空外囲器と、を具備したＸ線管と、
前記２つのフィラメントに電気的に接続され、前記２つのフィラメントを同時に駆動させるかどうか制御する制御部と、
複数の抵抗と、を備え、
前記制御部は、前記２つのフィラメントを同時に駆動させる場合、前記２つのフィラメントが直列に接続された直列回路を形成し、前記複数の抵抗を前記２つのフィラメントの何れか一方に電気的に並列に接続させた状態で前記２つのフィラメントを同時に直列駆動させるＸ線管装置。
【発明の詳細な説明】
【技術分野】
【０００１】
この発明は、Ｘ線を発生させるＸ線管を備えたＸ線管装置に関する。
【背景技術】
【０００２】
一般に、Ｘ線管装置として、回転陽極型Ｘ線管装置等が使用されている（例えば、特許文献１参照）。回転陽極型Ｘ線管装置は、Ｘ線を放出する回転陽極型Ｘ線管と、ステータコイルと、これら回転陽極型Ｘ線管およびステータコイルを収容した筐体と、を備えている。
【０００３】
回転陽極型Ｘ線管は、すべり軸受ユニットと、陽極ターゲットと、陰極と、真空外囲器と、を備えている。すべり軸受ユニットは、回転軸を中心に回転可能な筒状の回転体と、この回転体に嵌合され、回転体を回転可能に指示する固定シャフトと、回転体及び固定シャフトの隙間に充填された金属潤滑材と、を有している。陽極ターゲットは、回転体に固定されている。陰極は、陽極ターゲットに対向配置されている。真空外囲器は、すべり軸受ユニット、陽極ターゲット及び陰極を収容している。
【０００４】
上記回転陽極型Ｘ線管装置の動作状態において、ステータコイルは回転体に与える磁界を発生するため、回転体及び陽極ターゲットは回転する。また、陰極は熱電子を放出し、放出された熱電子は陽極ターゲットに衝突する。これにより、陽極ターゲットは、電子と衝突するときにＸ線を放出する。
【０００５】
放出されたＸ線は被写体を透過しＸ線検出器によって検出される。Ｘ線管装置及びＸ線検出器を用いることにより、Ｘ線画像の情報は取得される。そして、Ｘ線画像の情報がモニタに伝送されることにより、モニタの表示画面に撮影されたＸ線画像を表示させることができる。
【０００６】
コントラスト特性の優れたＸ線画像を得るため、撮影時、Ｘ線管のＸ線管電圧（以下、管電圧と称する）は可能な限り低い値に設定される。被写体のぶれ等に起因したＸ線画像の劣化を抑制するため、撮影時間は可能な限り短く設定される。
【０００７】
Ｘ線画像診断能の向上を図るため、Ｘ線画像の画質改善は常に求められている。Ｘ線検出器の性能向上は無論、Ｘ線管のＸ線管電流（以下、管電流と称する）特性の改善、すなわち管電流の増加が求められている。しかし、Ｘ線管の特性上、管電圧が下がると管電流も減少するのが一般的である。本特性（管電圧の低下に起因した管電流の低下）を少しでも改善するため、陽極ターゲット及び陰極間の距離を短縮する技術も適用されている。しかし、この場合、Ｘ線管の主要機能である耐電圧特性を維持するため、陽極ターゲット及び陰極間の距離の短縮にも限界がある。
【０００８】
また、管電圧が８０ｋＶ以下の領域において、許容最大管電流の制約により、Ｘ線管は、このＸ線管の最大許容入力より低い条件でしか使用できず、Ｘ線画像向上を阻害している一要因となっている。上記Ｘ線管装置では、主に空間電荷で制限されている許容最大管電流以上の管電流とした場合、撮影は不可能であった。
【０００９】
一方、焦点内電子分布改善による画質向上を主眼とし、上記陰極に同等の特性を持つ２つのフィラメントを設けた技術（例えば、特許文献１参照）が知られている。焦点は、同時通電された２つのフィラメントにより形成される。
【特許文献１】特開平９−６３５２０号公報
【発明の開示】
【発明が解決しようとする課題】
【００１０】
上記したように、陰極に２つのフィラメントを用いた場合、陰極に１つのフィラメントを用いた場合の許容最大管電流以上の管電流での撮影が可能となる。  
通常、Ｘ線管装置は、被写体厚や撮影手技（透視及び撮影）のバリエーションに適したＸ線を放出するため、陰極に少なくとも互いに異なる特性を持つ２つのフィラメントを設けているのが一般的である。このため、陰極に同等の特性を持つ２つのフィラメントを設けた場合、バリエーションに富んだＸ線の放出は困難となる。また、バリエーションに富んだＸ線を放出させる場合、陽極ターゲット及び陰極間の距離の短縮はできない。  
この発明は以上の点に鑑みなされたもので、その目的は、バリエーションに富んだＸ線を放出でき、Ｘ線管電流を増大できるＸ線管装置を提供することにある。
【課題を解決するための手段】
【００１１】
上記課題を解決するため、本発明の態様に係るＸ線管装置は、互いに電子放出量の異なる２つのフィラメントを有した陰極と、前記陰極に対向配置され、前記陰極から放出される電子が衝突されることによりＸ線を放出する陽極ターゲットと、前記陰極及び陽極ターゲットを収容した真空外囲器と、を具備したＸ線管と、
前記２つのフィラメントに電気的に接続され、前記２つのフィラメントを同時に駆動させるかどうか制御する制御部と、
抵抗と、を備え、
前記制御部は、前記２つのフィラメントを同時に駆動させる場合、前記２つのフィラメントが直列に接続された直列回路を形成し、前記抵抗を前記２つのフィラメントの何れか一方に電気的に並列に接続させた状態で前記２つのフィラメントを同時に直列駆動させている。
【発明の効果】
【００１２】
この発明によれば、バリエーションに富んだＸ線を放出でき、Ｘ線管電流を増大できるＸ線管装置を提供することができる。
【発明を実施するための最良の形態】
【００１３】
以下、図面を参照しながらこの発明の実施の形態に係るＸ線管装置について詳細に説明する。  
図１に示すように、回転陽極型のＸ線管装置は、回転陽極型のＸ線管１と、磁界を発生させるコイルとしてのステータコイル２と、Ｘ線管及びステータコイルを収容した筐体３と、筐体内に充填された冷却液としての絶縁油４と、制御部５と、を備えている。
【００１４】
Ｘ線管１は、陰極（陰極電子銃）１０と、すべり軸受ユニット２０と、陽極ターゲット６０と、真空外囲器７０と、を備えている。  
図１、図２及び図３に示すように、陰極１０は、第１フィラメント１１及び第２フィラメント１２を有している。第１フィラメント１１及び第２フィラメント１２には、端子８１、８２、８３より相対的に負の電圧と電流が与えられる。これにより、第１フィラメント１１及び第２フィラメント１２は電子（熱電子）を放出する。
【００１５】
陰極１０は、図示しない収束電極も有している。収束電極は、第１フィラメント１１及び第２フィラメント１２それぞれに設けられ、第１フィラメント及び第２フィラメントから放出された電子を収束する。このため、陰極１０は、電子を収束して放出することができる。なお、陰極１０の詳細については後述する。
【００１６】
図１に示すように、すべり軸受ユニット２０は、回転体３０と、固定体としての固定シャフト４０と、潤滑材としての図示しない金属潤滑材と、を備え、すべり軸受を使っている。
【００１７】
回転体３０は、円筒状に形成され、一端部が閉塞されている。回転体３０は、この回転体の回転動作の中心軸となる回転軸に沿って延出している。この実施の形態において、上記回転軸は、Ｘ線管１の管軸ａ１と同一であり、以下管軸ａ１として説明する。回転体３０は、管軸ａ１を中心に回転可能である。回転体３０は、この一端部に位置した継手部３１を有している。回転体３０は、Ｆｅ（鉄）やＭｏ（モリブデン）等の材料で形成されている。
【００１８】
固定シャフト４０は、回転体３０よりサイズの小さい円筒状に形成されている。固定シャフト４０は、回転体３０と同軸的に設けられ、管軸ａ１に沿って延出している。固定シャフト４０は、回転体３０の内部に嵌合されている。固定シャフト４０は、ＦｅやＭｏ等の材料で形成されている。固定シャフト４０の一端部は、回転体３０の外部に露出されている。固定シャフト４０は、回転体３０を回転可能に支持している。
【００１９】
金属潤滑材は、回転体３０及び固定シャフト４０間の間隙に充填されている。  
図１に示すように、陽極ターゲット６０は、管軸ａ１に沿った方向に、固定シャフト４０の他端部に対向配置されている。陽極ターゲット６０は、陽極６１と、この陽極の外面の一部設けられたターゲット層６２と、を有している。
【００２０】
陽極６１は、継手部３１を介して回転体３０に固定されている。陽極６１は、形状が円盤状であり、Ｍｏ等の材料で形成されている。陽極６１は、管軸ａ１を中心に回転可能である。ターゲット層６２は、管軸ａ１に沿った方向に陰極１０に間隔を置いて対向配置されたターゲット面Ｓを有している。  
陽極ターゲット６０には、固定シャフト４０及び回転体３０を介し、端子９１、９２、９３より相対的に正の電圧が与えられる。
【００２１】
図１に示すように、真空外囲器７０は、円筒状に形成されている。真空外囲器７０は、ガラス及びセラミックなどの絶縁材や金属などの組合せで形成されている。真空外囲器７０において、陽極ターゲット６０と対向した個所の径は、回転体３０と対向した個所の径より大きい。真空外囲器７０は、開口部７１を有している。真空外囲器７０の密閉状態を維持するよう、開口部７１は、固定シャフト４０の一端部に密着している。真空外囲器７０は、固定シャフト４０を固定している。真空外囲器７０は、この内壁に陰極１０を取付けている。真空外囲器７０は、密閉され、陰極１０、すべり軸受ユニット２０及び陽極ターゲット６０等を収容している。真空外囲器７０の内部は真空状態に維持されている。
【００２２】
ステータコイル２は、回転体３０の側面に対向して真空外囲器７０の外側を囲むように設けられている。ステータコイル２の形状は環状である。  
筐体３は、陰極１０と対向したターゲット層６２付近にＸ線を透過させるＸ線透過窓３ａを有している。筐体３の内部には、Ｘ線管１及びステータコイル２が収容されている他、絶縁油４が充填されている。  
制御部５は、端子８１、８２、８３を介し、陰極１０に電気的に接続されている。
【００２３】
次に、陰極１０について詳細に説明する。  
図１、図２、図３及び図４に示すように、陰極１０は、大焦点を形成する撮影専用の第１フィラメント１１と、小焦点を形成する撮影及び透視双方用の第２フィラメント１２とを有している。上記したように、第１フィラメント１１及び第２フィラメント１２の種類は異なり、これらの特性も異なる。第１フィラメント１１及び第２フィラメント１２の電子放出量は互いに異なる。より詳しくは、第１フィラメント１１及び第２フィラメント１２の最大電子放出量が互いに異なる。第１フィラメント１１が形成する焦点サイズは、第２フィラメント１２が形成する焦点サイズより大きい。第１フィラメント１１及び第２フィラメント１２は、陰極１０に形成され、かつ、互いに対向する傾斜面上にそれぞれ設置されている。
【００２４】
この実施の形態において、Ｘ線管装置は、上述した他、抵抗１３及び切換器５０を有している。抵抗１３及び切換器５０は、筐体３の内部に設けられているが、外部に設けることも可能である。切換器５０は、例えば１つの導体５１を有している。導体５１の位置は、制御部５により切り換えられる。導体５１は、接続位置５２と、絶縁位置５３との何れかに位置している。導体５１は、ノードｎ４を介して端子８３に電気的に接続されている。
【００２５】
第１フィラメント１１の一端は端子８１に電気的に接続され、その他端はノードｎ１お及び導体５１を介して端子８３に電気的に接続されている。第２フィラメント１２の一端は端子８２に電気的に接続され、その他端はノードｎ１及び導体５１を介して端子８３に電気的に接続されている。
【００２６】
第２フィラメント１２の両端のノードにおいて、ノードｎ２は、抵抗１３を介して端子１５に電気的に接続されている。ノードｎ３は、端子１４に電気的に接続されている。端子１６は、ノードｎ４を介して端子８３に電気的に接続されている。
【００２７】
導体５１が接続位置５２に位置した状態において、端子１４、端子１５及び端子１６は、導体５１に電気的に接続され、導体５１を介して互いに導通される。このため、抵抗１３は、この抵抗に接続された導体５１を介して第２フィラメント１２に電気的に並列に接続される。  
導体５１が絶縁位置５３に位置した状態において、端子１４、端子１５及び端子１６は、導体５１と電気的に絶縁される。
【００２８】
上記Ｘ線管装置の動作状態について説明する。Ｘ線管装置の動作時、ステータコイル２は回転体３０に与える回転トルクを発生させるため、回転体は回転する。これにより、陽極ターゲット６０も回転することになる。  
始めに、第１フィラメント１１を用いた撮影を実施する場合について説明する。陽極ターゲット６０が回転を開始すると、まず、制御部５は、端子８１及び端子８３間に第１フィラメント１１を駆動させる電流を与える。すると、第１フィラメント１１にのみ相対的に負の電圧及び電流が与えられる。陽極ターゲット６０に相対的に正の電圧が与えられる。
【００２９】
第１フィラメント１１及び陽極ターゲット６０間にＸ線管電圧（以下、管電圧と称する）が加えられるため、第１フィラメント１１から放出された電子は、収束及び加速され、ターゲット層６２に衝突される。すなわち、陰極１０からターゲット層６２の大焦点にＸ線管電流（以下、管電流と称する）が流れる。
【００３０】
ターゲット層６２は電子と衝突するときにＸ線を放出し、大焦点から放出されたＸ線は、Ｘ線透過窓３ａを介して筐体３の外部に放出される。これにより、大焦点を形成しての撮影を実施することができる。
【００３１】
次に、第２フィラメント１２を用いた撮影及び透視を実施する場合について説明する。陽極ターゲット６０が回転を開始すると、まず、制御部５は、導体５１が絶縁位置５３に位置するよう切り換える。また、制御部５は、端子８２及び端子８３間に第２フィラメント１２を駆動させる電流を与える。すると、第２フィラメント１２にのみ相対的に負の電圧及び電流が与えられる。陽極ターゲット６０に相対的に正の電圧が与えられる。
【００３２】
第２フィラメント１２及び陽極ターゲット６０間に管電圧が加えられるため、第２フィラメント１２から放出された電子は、収束及び加速され、ターゲット層６２に衝突される。すなわち、陰極１０からターゲット層６２の小焦点に管電流が流れる。
【００３３】
ターゲット層６２は電子と衝突するときにＸ線を放出し、小焦点から放出されたＸ線は、Ｘ線透過窓３ａを介して筐体３の外部に放出される。これにより、小焦点を形成しての撮影及び透視を実施することができる。
【００３４】
次に、第１フィラメント１１及び第２フィラメント１２の双方を用い、管電流を増大させて撮影を実施する場合について説明する。陽極ターゲット６０が回転を開始すると、まず、制御部５は、導体５１が接続位置５２に位置するよう切り換える。これにより、抵抗１３は、第２フィラメント１２に電気的に並列に接続される。
【００３５】
また、導体５１が接続位置５２に位置することにより、端子８１及び端子８２間に流れる電流は、端子１４及び端子１５とノードｎ１／ｎ２／ｎ３を経由するため、制御部５は、第２フィラメント１２と抵抗１３とを並列に、且つ第１フィラメント１１と第２フィラメント１２とを直列に同時駆動させることになる。
【００３６】
より詳しくは、制御部５は、第１フィラメント１１及び第２フィラメント１２を同時に異なる条件で駆動させる。端子８１及び端子８２間に第１フィラメント１１及び第２フィラメント１２が直列に接続された直列回路が形成されるため、制御部５は、第１フィラメント１１及び第２フィラメント１２を直列駆動させる。これにより、第１フィラメント１１及び第２フィラメント１２に相対的に負の電圧及び電流が与えられる。陽極ターゲット６０に相対的に正の電圧が与えられる。
【００３７】
第１フィラメント１１及び第２フィラメント１２と、陽極ターゲット６０との間に管電圧が加えられるため、第１フィラメント１１及び第２フィラメント１２から放出された電子は、収束及び加速され、ターゲット層６２に衝突される。第１フィラメント１１によって形成される大焦点と、第２フィラメント１２によって形成される小焦点とは重なる。すなわち、陰極１０からターゲット層６２の焦点に管電流が大電流となって流れる。
【００３８】
ターゲット層６２は電子と衝突するときにＸ線を放出し、焦点から放出されたＸ線は、Ｘ線透過窓３ａを介して筐体３の外部に放出される。なお、撮影には、大焦点及び小焦点が重なったターゲット層６２から放出されるＸ線のみ利用される。これにより、管電流を増大させての撮影を実施することができる。
【００３９】
次に、フィラメント電流に対する管電流の変化について説明する。ここで、フィラメント電流とは、第１フィラメント１１を流れる電流（第１フィラメント電流）及び第２フィラメント１２を流れる電流（第２フィラメント電流）等を意味する。
【００４０】
図５は、一般的な管電流特性の傾向を示す図である。図に示すように、管電圧が８０ｋＶ以下である低管電圧領域において、フィラメント電流を増大させても得られる管電流は増大しない。上記したことは、空間電荷の制限によるものであり、詳しくは、管電圧に応じて、陰極１０及びターゲット層６２間の空間に存在する電荷によりフィラメントから放出される熱電子のターゲット層まで到達する数が増減し、管電圧を低下させるに従い到達数が減少する傾向にあるためである。許容最大フィラメント電流Ｍは、フィラメントの製品寿命を短くさせず、かつ、フィラメントの切断等フィラメントに不良を発生させない電流であることを意味している。  
上記したことから、Ｘ線管１の構造上の制約により、低管電圧領域において、管電流は制限される。
【００４１】
次に、第１フィラメント電流に対する管電流の変化について説明する。  
図６に示すように、管電圧を６０ｋＶとした場合、管電流がピークとなる管電流Ｉａは、第１フィラメント電流を許容最大フィラメント電流Ｍ１とすることで得られる。このため、第１フィラメント１１を単独で用いる場合、第１フィラメント１１に許容最大フィラメント電流Ｍ１を与えての撮影が限界となる。
【００４２】
次に、第２フィラメント電流に対する管電流の変化について説明する。  
図７に示すように、低管電圧領域において、管電流がピークとなる管電流Ｉｃは、第２フィラメント電流を許容最大フィラメント電流Ｍ２とすることで得られる。このため、第２フィラメント１２を単独で用いる場合、第２フィラメント１２に許容最大フィラメント電流Ｍ２を与えての撮影及び透視が限界となる。  
ここで、第１フィラメント１１が第２フィラメント１２より大きい焦点を形成することから、許容最大フィラメント電流Ｍ１、Ｍ２の関係は、Ｍ１＞Ｍ２となるのが一般的である。また、管電流Ｉａ、Ｉｃの関係は、Ｉａ＞Ｉｃとなる。
【００４３】
また、図７に示すように、低管電圧領域において、管電流Ｉｃ以下である管電流Ｉｂは、第２フィラメント電流をフィラメント電流Ｎとすることで得られる。このため、第１フィラメント１１及び第２フィラメント１２の双方を用いる場合、第１フィラメント１１に許容最大フィラメント電流Ｍ１を与え、第２フィラメント１２にフィラメント電流Ｎを与えて撮影すれば良い。これにより、少なくとも低管電圧領域において、実効管電流を管電流Ｉａより１０％以上増大させることができる。なお、第１フィラメント１１が第２フィラメント１２より大きい焦点を形成することができ、第２フィラメントに抵抗１３が電気的に並列に接続されていることから、許容最大フィラメント電流Ｍ１はフィラメント電流Ｎより大きい。
【００４４】
ここで、Ｍ２＞Ｎの関係を満たすよう、フィラメント電流Ｎを設定するのが一般的である。上記したことは、Ｍ２＞Ｎの関係を満たさずに第１フィラメント１１及び第２フィラメント１２の双方を用いた場合、Ｘ線管装置の最大許容入力を超過する恐れがあるためである。ここで言う最大許容入力とは、第１フィラメント１１にて形成される焦点内に第２フィラメント１２にて形成される焦点が重乗された場合に於いて許容される管電圧と管電流の積を意味している。最大許容入力を超過した場合、ターゲット層６２に形成される焦点での温度がターゲット層６２の許容温度以上となり耐電圧特性の劣化や焦点寸法異常など、Ｘ線管装置の寿命を短縮させてしまう恐れがある。
【００４５】
以上のように構成されたＸ線管装置によれば、陰極１０は、第１フィラメント１１及び第２フィラメント１２を有している。制御部５は、第１フィラメント１１及び第２フィラメント１２を同時に駆動させるかどうか制御する。第１フィラメント１１及び第２フィラメント１２を同時に駆動させる場合、制御部５は、第１フィラメント及び第２フィラメントが直列に接続された直列回路を形成するとともに、抵抗１３を第２フィラメントに電気的に並列に接続させた状態で第１フィラメント及び第２フィラメントを直列駆動させる。
【００４６】
これにより、管電流を第１フィラメント１１単独の許容最大管電流以上とし、被写体を撮影することができる。このため、管電圧を８０ｋＶ以下と低くしても、コントラスト特性の優れたＸ線画像を得ることができ等、Ｘ線画像の画質を大幅に向上させることができる。また、撮影時間を短くして撮影も、被写体のぶれ（被写体の運動ボケ）等に起因したＸ線画像の劣化を抑制することができる。
【００４７】
第１フィラメント１１及び第２フィラメント１２を駆動させて管電流を増大させる場合、第２フィラメント１２の駆動は、Ｘ線管装置の最大許容入力とのバランスを考慮して行えば良い。  
上記したことから、バリエーションに富んだＸ線を放出でき、管電流を増大できるＸ線管装置を得ることができる。
【００４８】
この実施の形態に係るＸ線管装置は、低管電圧に設定して使用され、互いに種類の異なる少なくとも２つのフィラメントを異なる条件で駆動させ、撮影時の実効管電流を増大させることができる。これらフィラメントの駆動は、Ｘ線管装置の管電圧、管電流及び最大許容入力を踏まえ、許容最大管電流で制限される撮影条件時を主体に行えば良い。
【００４９】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５０】
例えば、抵抗１３の抵抗値は、許容最大フィラメント電流Ｍ１、許容最大フィラメント電流Ｍ２、第１フィラメント１１固有の抵抗値及び第２フィラメント１２固有の抵抗値より設定すれば良い。抵抗１３及び切換器５０は、筐体３の外部に設けられていても良い。フィラメント電力に応じ、制御部５は、抵抗を第１フィラメント１１に電気的に並列に接続させても良い。
【００５１】
Ｘ線管装置は、複数の抵抗を有していても良い。上乗せ可能な管電流Ｉｂの値に応じ、制御部５は、複数の抵抗を第２フィラメント１２に電気的に並列に接続させても良い。さらに、制御部５は、第２フィラメント１２に電気的に並列に接続させる抵抗の数を選択できるため、より細かな管電流制御に対応させることができる。これにより、管電流の増大を更に効率良く実現できる。
【００５２】
第１フィラメント１１及び第２フィラメント１２を異なる条件で駆動させる場合、上述したように抵抗１３及び切換器５０を用いた駆動に限定されることはない。抵抗１３及び切換器５０を用いることがなくとも、制御部５が第１フィラメント１１及び第２フィラメント１２に異なる条件で駆動させる電流を与えて行っても良い。第１フィラメント１１及び第２フィラメント１２を異なる条件で駆動させる場合、安全性や経済性等により適した方法を選択すると最も効果的である。
【００５３】
陰極１０は、複数種類の３つ以上のフィラメントを有していても良い。これにより、３つ以上のフィラメントを同時に駆動させることで管電流を増大させることができる。  
この発明は、回転陽極型のＸ線管装置に限定されることなく、固定陽極型のＸ線管装置等、他のＸ線管装置にも適用することができる。
【００５４】
また、この発明は、互いに電子放出量の異なる複数のフィラメントを有した陰極１０と、陰極に対向配置され、陰極から放出される電子が衝突されることによりＸ線を放出する陽極ターゲット６０と、陰極及び陽極ターゲットを収容した真空外囲器７０と、を具備したＸ線管１と、複数のフィラメントに電気的に接続され、複数のフィラメントを同時に駆動させるかどうか制御する制御部５と、を備えたＸ線管装置に適用することができる。
【図面の簡単な説明】
【００５５】
【図１】この発明の実施の形態に係るＸ線管装置を示す断面図。
【図２】図１に示した陰極を示す拡大断面図。
【図３】図１及び図２に示した陰極を陽極ターゲット側から見た拡大平面図。
【図４】上記Ｘ線管装置の第１フィラメント、第２フィラメント、抵抗及び切換器の接続関係を示す概略回路図。
【図５】上記Ｘ線管装置のフィラメント電流に対する管電流の変化をグラフで示した図。
【図６】上記Ｘ線管装置の第１フィラメント電流に対する管電流の変化をグラフで示した図。
【図７】上記Ｘ線管装置の第２フィラメント電流に対する管電流の変化をグラフで示した図。
【符号の説明】
【００５６】
１…Ｘ線管、２…ステータコイル、３…筐体、４…絶縁油、５…制御部、１０…陰極、１１…第１フィラメント、１２…第２フィラメント、１３…抵抗、２０…軸受ユニット、５０…切換器、５１…導体、６０…陽極ターゲット、７０…真空外囲器。
【図１】
0005395320.tif 000002
【図２】
0005395320.tif 000003
【図３】
0005395320.tif 000004
【図４】
0005395320.tif 000005
【図５】
0005395320.tif 000006
【図６】
0005395320.tif 000007
【図７】
0005395320.tif 000008